(57)【要約】【課題】超音波画像と光音響画像の輝度調整を行う場合において、ユーザがより使い易く、かつ輝度調整の手間を削減することができる光音響画像生成装置および方法並びにプログラムを提供する。【解決手段】１系統の輝度調整指示受付部を用いて光音響画像の輝度調整と反射波画像の輝度調整とを行う場合、反射波画像の輝度調整から光音響画像の輝度調整への切り替えられた時点において、輝度調整指示受付部によって現在受け付けられている反射波画像の輝度調整の指示に関わらず、現在の光音響画像の輝度を維持し、光音響画像の輝度調整から反射波画像の輝度調整への切り替えられた時点において、輝度調整指示受付部によって現在受け付けられている光音響画像の輝度調整の指示に関わらず、現在の反射波画像の輝度を維持する。【選択図】図５
2018102630.tif 000002
【特許請求の範囲】
【請求項１】
被検体への光の照射によって前記被検体内に発生した光音響波を検出して光音響波検出信号を出力し、かつ前記被検体に対して送信された音響波の反射波を検出して反射波検出信号を出力する音響波検出部と、
前記光音響波検出信号に基づいて、光音響画像を生成する光音響画像生成部と、
前記反射波検出信号に基づいて、反射波画像を生成する反射波画像生成部と、
前記光音響画像の輝度調整を行う第１の輝度調整部と、
前記反射波画像の輝度調整を行う第２の輝度調整部と、
前記光音響画像の輝度調整の指示と前記反射波画像の輝度調整の指示とを受け付ける１系統の輝度調整指示受付部と、
前記光音響画像の輝度調整と前記反射波画像の輝度調整の切り替え指示を受け付ける輝度調整切替部とを備え、
前記反射波画像の輝度調整から前記光音響画像の輝度調整への切り替え指示が前記輝度調整切替部によって受け付けられた時点において、前記第１の輝度調整部が、前記輝度調整指示受付部によって現在受け付けられている前記反射波画像の輝度調整の指示に関わらず、現在の前記光音響画像の輝度を維持し、
前記光音響画像の輝度調整から前記反射波画像の輝度調整への切り替え指示が前記輝度調整切替部によって受け付けられた時点において、前記第２の輝度調整部が、前記輝度調整指示受付部によって現在受け付けられている前記光音響画像の輝度調整の指示に関わらず、現在の前記反射波画像の輝度を維持する光音響画像生成装置。
【請求項２】
前記第１の輝度調整部が、前記反射波画像の輝度調整から前記光音響画像の輝度調整への切り替え指示が受け付けられた後、前記輝度調整指示受付部によって前記光音響画像の輝度調整の指示が受け付けられた時点において、該輝度調整指示受付部によって現在受け付けられている輝度に前記光音響画像の輝度を変更し、該変更後の輝度から輝度調整を開始し、
前記第２の輝度調整部が、前記光音響画像の輝度調整から前記反射波画像の輝度調整への切り替え指示が受け付けられた後、前記輝度調整指示受付部によって前記反射波画像の輝度調整の指示が受け付けられた時点において、該輝度調整指示受付部によって現在受け付けられている輝度に前記反射波画像の輝度を変更し、該変更後の輝度から輝度調整を開始する請求項１記載の光音響画像生成装置。
【請求項３】
前記第１の輝度調整部が、前記反射波画像の輝度調整から前記光音響画像の輝度調整への切り替え指示が受け付けられた後、前記輝度調整指示受付部において現在の前記光音響画像の輝度に対応する指示が受け付けられた時点から、前記光音響画像の輝度調整を開始し、
前記第２の輝度調整部が、前記光音響画像の輝度調整から前記反射波画像の輝度調整への切り替え指示が受け付けられた後、前記輝度調整指示受付部において現在の前記反射波画像の輝度に対応する指示が受け付けられた時点から、前記反射波画像の輝度調整を開始する請求項１記載の光音響画像生成装置。
【請求項４】
前記第１の輝度調整部が、前記反射波画像の輝度調整から前記光音響画像の輝度調整への切り替え指示が受け付けられた後、前記輝度調整指示受付部において現在の前記光音響画像の輝度から予め設定された範囲内の輝度に対応する指示が受け付けられた時点から、前記光音響画像の輝度調整を開始し、
前記第２の輝度調整部が、前記光音響画像の輝度調整から前記反射波画像の輝度調整への切り替え指示が受け付けられた後、前記輝度調整指示受付部において現在の前記反射波画像の輝度から予め設定された範囲内の輝度に対応する指示が受け付けられた時点から、前記反射波画像の輝度調整を開始する請求項１記載の光音響画像生成装置。
【請求項５】
前記輝度調整指示受付部が、前記光音響画像および前記反射波画像の深さ毎の前記輝度調整の指示を受け付け、
前記第１の輝度調整部が、前記深さ毎の輝度調整の指示に基づいて、前記光音響画像の深さ毎の輝度調整を行い、
前記第２の輝度調整部が、前記深さ毎の輝度調整の指示に基づいて、前記反射波画像の深さ毎の輝度調整を行う請求項１から４いずれか１項記載の光音響画像生成装置。
【請求項６】
前記光音響画像の深さ毎の輝度の設定状態および前記反射波画像の深さ毎の輝度の設定状態を表示部に表示させる表示制御部を備えた請求項５記載の光音響画像生成装置。
【請求項７】
前記表示制御部が、前記輝度調整指示受付部によって輝度調整の指示が受け付けられている深さの輝度の設定状態の表示を強調表示する請求項６記載の光音響画像生成装置。
【請求項８】
前記輝度調整指示受付部が、前記光音響画像の連続的な輝度変更の指示と前記反射波画像の連続的な輝度変更の指示とを受け付ける請求項１から７いずれか１項記載の光音響画像生成装置。
【請求項９】
前記輝度調整指示受付部が、つまみを有するスライダーを備え、前記つまみの移動によって前記連続的な輝度変更の指示を受け付ける請求項８記載の光音響画像生成装置。
【請求項１０】
前記輝度調整指示受付部が、回転ダイヤルを備え、該回転ダイヤルの回転によって前記連続的な輝度変更の指示を受け付ける請求項８記載の光音響画像生成装置。
【請求項１１】
被検体への光の照射によって前記被検体内に発生した光音響波を検出した光音響波検出信号に基づいて、光音響画像を生成し、かつ前記被検体に対して送信された音響波の反射波を検出した反射波検出信号に基づいて、反射波画像を生成する光音響画像生成方法であって、１系統の輝度調整指示受付部によって受け付けられた指示に基づいて、前記光音響画像の輝度調整と前記反射波画像の輝度調整とを行う光音響画像生成方法において、
前記反射波画像の輝度調整から前記光音響画像の輝度調整への切り替え指示が受け付けられた時点において、前記輝度調整指示受付部によって現在受け付けられている前記反射波画像の輝度調整の指示に関わらず、現在の前記光音響画像の輝度を維持し、
前記光音響画像の輝度調整から前記反射波画像の輝度調整への切り替え指示が受け付けられた時点において、前記輝度調整指示受付部によって現在受け付けられている前記光音響画像の輝度調整の指示に関わらず、現在の前記反射波画像の輝度を維持する光音響画像生成方法。
【請求項１２】
コンピュータを、被検体への光の照射によって前記被検体内に発生した光音響波を検出した光音響波検出信号に基づいて、光音響画像を生成する光音響画像生成部と、前記被検体に対して送信された音響波の反射波を検出した反射波検出信号に基づいて、反射波画像を生成する反射波画像生成部と、前記光音響画像の輝度調整を行う第１の輝度調整部と、前記反射波画像の輝度調整を行う第２の輝度調整部として機能させる光音響画像生成プログラムであって、１系統の輝度調整指示受付部によって受け付けられた指示に基づいて、前記光音響画像の輝度調整と前記反射波画像の輝度調整とを行う光音響画像生成プログラムにおいて、
前記反射波画像の輝度調整から前記光音響画像の輝度調整への切り替え指示が受け付けられた時点において、前記第１の輝度調整部が、前記輝度調整指示受付部によって現在受け付けられている前記反射波画像の輝度調整の指示に関わらず、現在の前記光音響画像の輝度を維持し、
前記光音響画像の輝度調整から前記反射波画像の輝度調整への切り替え指示が受け付けられた時点において、前記第２の輝度調整部が、前記輝度調整指示受付部によって現在受け付けられている前記光音響画像の輝度調整の指示に関わらず、現在の前記反射波画像の輝度を維持する光音響画像生成プログラム。
【発明の詳細な説明】
【技術分野】
【０００１】
本発明は、被検体への光の照射によって被検体内で発生した光音響波を検出して光音響画像を生成する光音響画像生成装置および方法並びにプログラムに関する。
【背景技術】
【０００２】
生体内部の状態を非侵襲で検査できる画像検査法の一種として、超音波検査法が知られている。超音波検査では、超音波の送信および受信が可能な超音波探触子が用いられる。超音波探触子から被検体（生体）に超音波を送信させると、その超音波は生体内部を進んでいき、組織界面で反射する。その反射超音波を超音波探触子によって受信し、反射超音波が超音波探触子に戻ってくるまでの時間に基づいて距離を計算することで、内部の様子を画像化することができる。
【０００３】
また、光音響効果を利用して生体の内部を画像化する光音響イメージングが知られている。一般に光音響イメージングでは、パルスレーザ光を生体内に照射する。生体内部では、生体組織がパルスレーザ光のエネルギーを吸収し、そのエネルギーによる断熱膨張により超音波（光音響波）が発生する。この光音響波を超音波探触子などによって検出し、検出信号に基づいて光音響画像を構成することにより、光音響波に基づく生体内の可視化が可能である。
【０００４】
また、超音波の送信による超音波画像とパルスレーザ光の照射による光音響画像との両方を取得する装置も提案されている（たとえば特許文献１および特許文献２参照）。
【先行技術文献】
【特許文献】
【０００５】
【特許文献１】特開２０１４−１２８３１９号公報
【特許文献２】特開２０１２−５６２４号公報
【発明の概要】
【発明が解決しようとする課題】
【０００６】
ここで、超音波画像の輝度調整として、深さ毎に輝度を調整するいわゆるＳＴＣ（Sensitivity Time Control）が一般的に知られているが、たとえば超音波画像と光音響画像とを重畳して表示させる場合には、それぞれの画像の輝度を調整する必要があるが、特許文献１および特許文献２においては、超音波画像と光音響画像に対してそれぞれ独立したＳＴＣ操作系を設けることが提案されている。
【０００７】
しかしながら、一般的な超音波診断装置をベースとした光音響画像生成装置においては、ＳＴＣ操作系が１系統しかないため、特許文献１および特許文献２のような２系統のＳＴＣ操作系を備えた装置は、一般的な超音波診断装置と異なるため使い勝手が悪い。
【０００８】
一方で、ＳＴＣ操作系を１系統とし、スイッチなどによって光音響画像のＳＴＣと超音波画像のＳＴＣとを切り替えるようにした場合、スイッチを切り替えた瞬間に、現在のＳＴＣつまみの位置、すなわち切り替え前の画像に対するＳＴＣつまみの位置が、切り替え後の画像の輝度に反映されてしまい、輝度調整に余計な手間がかかり、操作性が悪い問題がある。
【０００９】
本発明は、上記事情に鑑み、超音波画像と光音響画像の両方の輝度調整を行う場合において、ユーザがより使い易く、かつ輝度調整の手間を削減することができる光音響画像生成装置および方法並びにプログラムを提供することを目的とするものである。
【課題を解決するための手段】
【００１０】
本発明の光音響画像生成装置は、被検体への光の照射によって被検体内に発生した光音響波を検出して光音響波検出信号を出力し、かつ被検体に対して送信された音響波の反射波を検出して反射波検出信号を出力する音響波検出部と、光音響波検出信号に基づいて、光音響画像を生成する光音響画像生成部と、反射波検出信号に基づいて、反射波画像を生成する反射波画像生成部と、光音響画像の輝度調整を行う第１の輝度調整部と、反射波画像の輝度調整を行う第２の輝度調整部と、光音響画像の輝度調整の指示と反射波画像の輝度調整の指示とを受け付ける１系統の輝度調整指示受付部と、光音響画像の輝度調整と反射波画像の輝度調整の切り替え指示を受け付ける輝度調整切替部とを備え、反射波画像の輝度調整から光音響画像の輝度調整への切り替え指示が輝度調整切替部によって受け付けられた時点において、第１の輝度調整部が、輝度調整指示受付部によって現在受け付けられている反射波画像の輝度調整の指示に関わらず、現在の光音響画像の輝度を維持し、光音響画像の輝度調整から反射波画像の輝度調整への切り替え指示が輝度調整切替部によって受け付けられた時点において、第２の輝度調整部が、輝度調整指示受付部によって現在受け付けられている光音響画像の輝度調整の指示に関わらず、現在の反射波画像の輝度を維持する光音響画像生成装置。
【００１１】
また、上記本発明の光音響画像生成装置において、第１の輝度調整部は、反射波画像の輝度調整から光音響画像の輝度調整への切り替え指示が受け付けられた後、輝度調整指示受付部によって光音響画像の輝度調整の指示が受け付けられた時点において、輝度調整指示受付部によって現在受け付けられている輝度に光音響画像の輝度を変更し、その変更後の輝度から輝度調整を開始することができ、第２の輝度調整部は、光音響画像の輝度調整から反射波画像の輝度調整への切り替え指示が受け付けられた後、輝度調整指示受付部によって反射波画像の輝度調整の指示が受け付けられた時点において、輝度調整指示受付部によって現在受け付けられている輝度に反射波画像の輝度を変更し、その変更後の輝度から輝度調整を開始することができる。
【００１２】
また、上記本発明の光音響画像生成装置において、第１の輝度調整部は、反射波画像の輝度調整から光音響画像の輝度調整への切り替え指示が受け付けられた後、輝度調整指示受付部において現在の光音響画像の輝度に対応する指示が受け付けられた時点から、光音響画像の輝度調整を開始することができ、第２の輝度調整部は、光音響画像の輝度調整から反射波画像の輝度調整への切り替え指示が受け付けられた後、輝度調整指示受付部において現在の反射波画像の輝度に対応する指示が受け付けられた時点から、反射波画像の輝度調整を開始することができる。
【００１３】
また、上記本発明の光音響画像生成装置において、第１の輝度調整部は、反射波画像の輝度調整から光音響画像の輝度調整への切り替え指示が受け付けられた後、輝度調整指示受付部において現在の光音響画像の輝度から予め設定された範囲内の輝度に対応する指示が受け付けられた時点から、光音響画像の輝度調整を開始することができ、第２の輝度調整部は、光音響画像の輝度調整から反射波画像の輝度調整への切り替え指示が受け付けられた後、輝度調整指示受付部において現在の反射波画像の輝度から予め設定された範囲内の輝度に対応する指示が受け付けられた時点から、反射波画像の輝度調整を開始することができる。
【００１４】
また、上記本発明の光音響画像生成装置において、輝度調整指示受付部は、光音響画像および反射波画像の深さ毎の輝度調整の指示を受け付けることができ、第１の輝度調整部は、深さ毎の輝度調整の指示に基づいて、光音響画像の深さ毎の輝度調整を行い、第２の輝度調整部は、深さ毎の輝度調整の指示に基づいて、反射波画像の深さ毎の輝度調整を行うことができる。
【００１５】
また、上記本発明の光音響画像生成装置においては、光音響画像の深さ毎の輝度の設定状態および反射波画像の深さ毎の輝度の設定状態を表示部に表示させる表示制御部を備えることができる。
【００１６】
また、上記本発明の光音響画像生成装置において、表示制御部は、輝度調整指示受付部によって輝度調整の指示が受け付けられている深さの輝度の設定状態の表示を強調表示することができる。
【００１７】
また、上記本発明の光音響画像生成装置において、輝度調整指示受付部は、光音響画像の連続的な輝度変更の指示と反射波画像の連続的な輝度変更の指示とを受け付けることができる。
【００１８】
また、上記本発明の光音響画像生成装置において、輝度調整指示受付部は、つまみを有するスライダーを備え、つまみの移動によって連続的な輝度変更の指示を受け付けることができる。
【００１９】
また、上記本発明の光音響画像生成装置において、輝度調整指示受付部は、回転ダイヤルを備え、回転ダイヤルの回転によって連続的な輝度変更の指示を受け付けることができる。
【００２０】
本発明の光音響画像生成方法は、被検体への光の照射によって被検体内に発生した光音響波を検出した光音響波検出信号に基づいて、光音響画像を生成し、かつ被検体に対して送信された音響波の反射波を検出した反射波検出信号に基づいて、反射波画像を生成する光音響画像生成方法であって、１系統の輝度調整指示受付部によって受け付けられた指示に基づいて、光音響画像の輝度調整と反射波画像の輝度調整とを行う光音響画像生成方法において、反射波画像の輝度調整から光音響画像の輝度調整への切り替え指示が受け付けられた時点において、輝度調整指示受付部によって現在受け付けられている反射波画像の輝度調整の指示に関わらず、現在の光音響画像の輝度を維持し、光音響画像の輝度調整から反射波画像の輝度調整への切り替え指示が受け付けられた時点において、輝度調整指示受付部によって現在受け付けられている光音響画像の輝度調整の指示に関わらず、現在の反射波画像の輝度を維持する。
【００２１】
本発明の光音響画像生成プログラムは、コンピュータを、被検体への光の照射によって被検体内に発生した光音響波を検出した光音響波検出信号に基づいて、光音響画像を生成する光音響画像生成部と、被検体に対して送信された音響波の反射波を検出した反射波検出信号に基づいて、反射波画像を生成する反射波画像生成部と、光音響画像の輝度調整を行う第１の輝度調整部と、反射波画像の輝度調整を行う第２の輝度調整部として機能させる光音響画像生成プログラムであって、１系統の輝度調整指示受付部によって受け付けられた指示に基づいて、光音響画像の輝度調整と反射波画像の輝度調整とを行う光音響画像生成プログラムにおいて、反射波画像の輝度調整から光音響画像の輝度調整への切り替え指示が受け付けられた時点において、第１の輝度調整部が、輝度調整指示受付部によって現在受け付けられている反射波画像の輝度調整の指示に関わらず、現在の光音響画像の輝度を維持し、光音響画像の輝度調整から反射波画像の輝度調整への切り替え指示が受け付けられた時点において、第２の輝度調整部が、輝度調整指示受付部によって現在受け付けられている光音響画像の輝度調整の指示に関わらず、現在の反射波画像の輝度を維持する。
【発明の効果】
【００２２】
本発明の光音響画像生成装置および方法並びにプログラムによれば、光音響画像の輝度調整と反射波画像の輝度調整を、１系統の輝度調整指示受付部によって受け付けられた指示に基づいて行うようにしたので、ユーザがより使い易い構成とすることができる。
【００２３】
また、反射波画像の輝度調整から光音響画像の輝度調整への切り替え指示が受け付けられた時点において、輝度調整指示受付部によって現在受け付けられている反射波画像の輝度調整の指示に関わらず、現在の光音響画像の輝度を維持し、光音響画像の輝度調整から反射波画像の輝度調整への切り替え指示が受け付けられた時点において、輝度調整指示受付部によって現在受け付けられている光音響画像の輝度調整の指示に関わらず、現在の反射波画像の輝度を維持するようにしたので、ユーザによる輝度調整の手間を削減することができ、操作性を向上させることができる。
【図面の簡単な説明】
【００２４】
【図１】本発明の光音響画像生成装置の一実施形態の概略構成を示すブロック図
【図２】第１の輝度調整部の具体的な構成を示す図
【図３】第２の輝度調整部の具体的な構成を示す図
【図４】操作パネルの一例を示す図
【図５】本発明の光音響画像生成装置の一実施形態における輝度調整方法を説明するためのフローチャート
【図６】深さ毎に設けられたスライダーおよび光音響画像と超音波画像の深さ毎の輝度を示す線グラフの一例を示す図
【図７】本発明の光音響画像生成装置における輝度調整方法の一例を説明するための図
【図８】本発明の光音響画像生成装置における輝度調整方法のその他の例を説明するための図
【図９】本発明の光音響画像生成装置における輝度調整方法のその他の例を説明するための図
【図１０】深さ毎に設けられた回転ダイヤルの一例を示す図
【発明を実施するための形態】
【００２５】
以下、本発明の光音響画像生成装置の一実施形態について、図面を参照しながら詳細に説明する。図１は、本実施形態の光音響画像生成装置１０の概略構成を示す図である。
【００２６】
本実施形態の光音響画像生成装置１０は、図１に示すように、超音波探触子１１、超音波ユニット１２、レーザユニット１３、表示デバイス１４および入力部１５を備えている。
【００２７】
超音波探触子１１は、被検体Ｍ内において発生した光音響波Ｕを検出し、光音響波検出信号を出力するものである。また、超音波探触子１１は、被検体に対して音響波を送信し、その送信した音響波に対する被検体からの反射音響波を検出し、反射波検出信号を出力するものである。なお、本実施形態では、音響波として超音波を用いるが、超音波に限定されるものでは無く、被検対象や測定条件等に応じて適切な周波数を選択してさえいれば、可聴周波数の音響波を用いても良い。また、超音波の送受信は分離して行ってもよい。たとえば超音波探触子１１とは異なる位置から超音波の送信を行い、その送信された超音波に対する反射超音波を超音波探触子１１で受信してもよい。
【００２８】
超音波探触子１１（本発明の音響波検出部に相当する）は、ケーブル４０を介して超音波ユニット１２に接続されている。
【００２９】
超音波探触子１１は、図１に示されるように、振動子アレイ２０、複数の光ファイバが束ねられたバンドルファイバ４１、振動子アレイ２０を挟むように配置された２つの光出射部４２を備える。
【００３０】
振動子アレイ２０は、たとえば一次元または二次元に配列された複数の超音波振動子から構成される。超音波振動子は、たとえば圧電セラミクスまたはポリフッ化ビニリデン（ＰＶＤＦ）のような高分子フィルムから構成される圧電素子である。超音波振動子は、光音響波Ｕまたは反射超音波を受信した場合にその受信信号を電気信号に変換する機能を有し、超音波振動子で発生した電気信号は後述する受信回路２１に出力される。超音波探触子１１は、セクタ型、リニア型、およびコンベックス型等の中から撮像部位に応じて選択される。
【００３１】
バンドルファイバ４１は、レーザユニット１３からのレーザ光を光出射部４２まで導光するものである。バンドルファイバ４１は、特に限定されず、石英ファイバ等の公知のものを使用することができる。バンドルファイバ４１は、出射側において光ファイバごとに分岐し、光出射部４２に接続される。
【００３２】
光出射部４２は、バンドルファイバ４１によって導光されたレーザ光を被検体Ｍに照射する部分である。図１に示されるように、本実施形態では、２つの光出射部４２が、振動子アレイ２０を挟んで対向するように、振動子アレイ２０の両側に配置されている。光出射部４２としては、たとえば導光板を使用することができる。導光板は、たとえばアクリル板または石英板の表面に特殊な加工を施して、一方の端面から入れた光を他方の端面から均一に面発光させる板である。振動子アレイ２０に対して両側に配置された被検体表面を均一に照明するため、振動子アレイ２０のアレイ方向の幅と導光板の幅は同程度の長さであることが好ましい。また、導光板の入射端あるいは出射端に拡散板を設けてもよい。
【００３３】
レーザユニット１３は、たとえばレーザ光を発するＱスイッチによる固体レーザ光源を有し、被検体Ｍに照射する測定光Ｌとしてレーザ光を出力する。レーザユニット１３は、たとえば超音波ユニット１２の制御部３０からのトリガ信号を受けてレーザ光を出力するように構成されている。レーザユニット１３は、レーザ光として１ｎｓ〜１００ｎｓのパルス幅を有するパルス光を出力することが好ましい。本実施形態では、レーザユニット１３の光源は、たとえばＱスイッチを使用したアレキサンドライトレーザである。
【００３４】
レーザ光の波長は、計測の対象となる被検体内の吸収体の光吸収特性によって適宜決定されるが、近赤外波長域近傍の波長であることが好ましく、たとえば５００ｎｍ〜１２００ｎｍである。しかしながら、レーザ光の波長はこれに限られるものではない。また、レーザ光は、単波長でもよいし、複数の波長（例えば７５０ｎｍおよび８００ｎｍ）を含んでもよい。さらに、レーザ光が複数の波長を含む場合には、これらの波長の光は、同時に被検体Ｍに照射されてもよいし、交互に切り替えられながら照射されてもよい。レーザユニット１３は、アレキサンドライトレーザの他、同様に近赤外波長域のレーザ光を出力可能なＮｄ：ＹＡＧレーザ、ＹＡＧ−ＳＨＧ−ＯＰＯレーザおよびＴｉ−Ｓａｐｐｈｉｒｅレーザ、並びに可視波長領域のレーザ光を出力可能なＳＨＧ−Ｎｄ：ＹＡＧレーザを用いることもできる。
【００３５】
超音波ユニット１２は、受信回路２１、ＡＤ変換部（Analog to Digital convertor）２２、受信メモリ２３、光音響画像生成部２４、超音波画像生成部２５、第１の輝度調整部２６、第２の輝度調整部２７、表示制御部２８、送信制御回路２９および制御部３０を備えている。
【００３６】
超音波ユニット１２は、たとえばコンピュータから構成されるものであり、典型的にはプロセッサ、メモリ、およびバスなどを有する。超音波ユニット１２には、光音響画像生成および超音波画像生成に関する本発明の光音響画像生成プログラムの一実施形態がメモリにインストールされている。プロセッサによって構成される制御部３０によってこれらのプログラムが動作することで、光音響画像生成部２４、超音波画像生成部２５、第１の輝度調整部２６、第２の輝度調整部２７および表示制御部２８の機能が実現する。すなわち、これらの各部は、プログラムが組み込まれたメモリとプロセッサにより構成されている。
【００３７】
なお、超音波ユニット１２のハードウェアの構成は特に限定されるものではなく、複数のＩＣ（Integrated Circuit）、プロセッサ、ＡＳＩＣ（application specific integrated circuit）、ＦＰＧＡ（field-programmable gate array）、メモリなどを適宜組み合わせることによって実現することができる。
【００３８】
受信回路２１は、超音波探触子１１から出力された光音響波検出信号および反射波検出信号を受信する。受信回路２１は、典型的には、低ノイズアンプ、可変ゲインアンプ、およびローパスフィルタを含む。超音波探触子１１から出力された光音響波検出信号および反射波検出信号は、低ノイズアンプで増幅された後に、可変ゲインアンプで深度に応じたゲイン調整がなされ、ローパスフィルタで高周波成分がカットされる。
【００３９】
ＡＤ変換部２２は、受信回路２１が受信した光音響波検出信号および反射波検出信号をデジタル信号に変換する。ＡＤ変換部２２は、たとえば所定の周期のサンプリングクロック信号に基づいて、所定のサンプリング周期で光音響波検出信号および反射波検出信号をサンプリングする。ＡＤ変換部２２は、サンプリングした光音響波検出信号および反射波検出信号（サンプリングデータ）を受信メモリ２３に格納する。受信回路２１とＡＤ変換部２２とは、例えば１つのＩＣとして構成されていてもよし、個別のＩＣとして構成されていてもよい。
【００４０】
光音響画像生成部２４は、受信メモリ２３に格納された光音響波検出信号に基づいて、光音響画像を生成する。光音響画像の生成は、例えば、ＦＴＡ（Ｆｏｕｒｉｅｒ Ｔｒａｎｓｆｅｒ ａｌｇｏｒｉｓｍ）法もしくは遅延加算（位相整合加算）法などの画像再構成、検波、および対数変換などを含む。
【００４１】
超音波画像生成部２５は、受信メモリ２３に格納された反射波検出信号に基づいて、超音波画像を生成する。超音波画像の生成も、位相整合加算などの画像再構成、検波、および対数変換などを含む。
【００４２】
第１の輝度調整部２６は、光音響画像生成部２４において生成された光音響画像の輝度調整を行うものである。図２は、第１の輝度調整部２６の具体的な構成を示す図である。第１の輝度調整部２６は、図２に示すように、光音響画像全体の輝度を調整するゲイン調整部２６ａと、光音響画像の深さ毎の輝度調整を行う深さ毎輝度調整部２６ｂと、光音響画像のコントラストを調整するコントラスト調整部２６ｃとを備えている。
【００４３】
ここで、光音響画像の深さおよび後述する超音波画像の深さとは、超音波探触子１１の検出面から被検体内の画像生成対象物までの距離のことを意味する。
【００４４】
第１の輝度調整部２６は、入力部１５によって受け付けられた指示に基づいて、上述した光音響画像全体の輝度調整、光音響画像の深さ毎の輝度調整および光音響画像のコントラストを調整するものである。特に、深さ毎輝度調整部２６ｂは、後述する光音響画像の深さ毎に設けられたスライダーによって受け付けられた指示に基づいて、光音響画像の深さ毎の輝度調整を行うものである。
【００４５】
第２の輝度調整部２７は、超音波画像生成部２５において生成された超音波画像の輝度調整を行うものである。図３は、第２の輝度調整部２７の具体的な構成を示す図である。第２の輝度調整部２７は、図３に示すように、超音波画像全体の輝度を調整するゲイン調整部２７ａと、超音波画像の深さ毎の輝度調整を行う深さ毎輝度調整部２７ｂと、超音波画像のコントラストを調整するコントラスト調整部２７ｃとを備えている。
【００４６】
第２の輝度調整部２７は、入力部１５によって受け付けられた指示に基づいて、上述した超音波画像全体の輝度調整、超音波画像の深さ毎の輝度調整および超音波画像のコントラストを調整するものである。特に、深さ毎輝度調整部２７ｂは、第１の輝度調整部２６の深さ毎輝度調整部２６ｂと同様に、超音波画像の深さ毎に設けられたスライダーによって受け付けられた指示に基づいて、超音波画像の深さ毎の輝度調整を行うものである。
【００４７】
制御部３０は、光音響画像生成装置１０の各部を制御するものであり、本実施形態ではトリガ制御回路（図示省略）を備える。トリガ制御回路は、たとえば光音響画像生成装置１０の起動の際に、レーザユニット１３に発光トリガ信号を送る。これによりレーザユニット１３で、フラッシュランプが点灯し、レーザロッドの励起が開始される。そして、レーザロッドの励起状態は維持され、レーザユニット１３はパルスレーザ光を出力可能な状態となる。
【００４８】
そして、制御部３０は、光音響画像の生成の際には、トリガ制御回路からレーザユニット１３へＱｓｗトリガ信号を送信する。つまり、制御部３０は、このＱｓｗトリガ信号によってレーザユニット１３からのパルスレーザ光の出力タイミングを制御する。また、本実施形態では、制御部３０は、Ｑｓｗトリガ信号の送信と同時にサンプリングトリガ信号をＡＤ変換部２２に送信する。サンプリングトリガ信号は、ＡＤ変換部２２における光音響波検出信号のサンプリングの開始タイミングの合図となる。このように、サンプリングトリガ信号を使用することにより、レーザ光の出力と同期して光音響波検出信号をサンプリングすることが可能となる。
【００４９】
また、制御部３０は、超音波画像の生成の際には、送信制御回路２９に超音波送信を指示する超音波送信トリガ信号を送る。送信制御回路２９は、このトリガ信号を受けると、超音波探触子１１から超音波を送信させる。超音波探触子１１は、超音波の送信後、被検体Ｍからの反射超音波を検出し、反射波検出信号を出力する。
【００５０】
超音波探触子１１から出力された反射波検出信号は、受信回路２１を介してＡＤ変換部２２に入力される。制御部３０は、超音波送信のタイミングに合わせてＡＤ変換部２２にサンプリングトリガ信号を送り、反射波検出信号のサンプリングを開始させる。
【００５１】
表示制御部２８は、光音響画像と超音波画像とを別々に、またはこれらの合成画像を表示デバイス１４に表示させる。表示制御部２８は、たとえば光音響画像と超音波画像とを重畳することによって合成画像を生成するものである。また、表示制御部２８は、後述する光音響画像および超音波画像の輝度調整の設定状態を操作パネル１５ａ（図４参照）の表示部１８に表示させるものである。表示デバイス１４は、たとえば液晶ディスプレイなどを備えたものである。
【００５２】
入力部１５は、光音響画像および超音波画像の輝度調整を含む、ユーザによる種々の指示入力を受け付けるものである。具体的には、本実施形態の入力部１５は、図４に示すような操作パネル１５ａを備えている。操作パネル１５ａ上には、輝度調整指示受付部１６、輝度調整切替部１７、表示部１８、電源スイッチ１９、およびゲイン調整つまみ３１などが設けられている。
【００５３】
輝度調整指示受付部１６は、光音響画像の輝度調整の指示と超音波画像の輝度調整の指示との両方を受け付けるものである。具体的には、本実施形態の輝度調整指示受付部１６は、光音響画像および超音波画像の深さ毎の輝度調整の指示を受け付けるものであり、６つのスライダー１６ａ，１６ｂ，１６ｃ，１６ｄ，１６ｅ，１６ｆを備えている。各スライダー１６ａ〜１６ｆは、光音響画像および超音波画像の各深さに対応してそれぞれ設けられている。そして、各スライダー１６ａ〜１６ｆは、つまみＳａ，Ｓｂ，Ｓｃ，Ｓｄ，Ｓｅ，Ｓｆをそれぞれ備えており、このつまみＳａ〜Ｓｆを水平方向に移動させることによって、各深さの輝度調整の指示が受け付けられる。具体的には、たとえば各つまみＳａ〜Ｓｆを左方向に移動させた場合には各深さの輝度が連続的に小さくなり、右方向に移動させた場合には各深さの輝度が連続的に大きくなる。なお、逆に、左方向に移動させた場合に各深さの輝度を連続的に大きくし、右方向に移動させた場合に各深さの輝度を連続的に小さくするようにしてもよい。
【００５４】
輝度調整切替部１７は、光音響画像の輝度調整と超音波画像の輝度調整の切り替え指示を受け付けるものである。具体的には、輝度調整切替部１７は、後述する表示部１８内に輝度調整切替ボタンとして表示される。輝度調整切替ボタンは、超音波画像の輝度調整が設定されている場合には、「Ｂ」で表示される。そして、光音響画像の輝度調整に切り替えられた場合には、「Ｂ」から「ＰＡ」の表示に変更される。
【００５５】
本実施形態の表示部１８は、後述するようにタッチパネルで構成されており、輝度調整切替ボタンがユーザによって押される度に、「Ｂ」と「ＰＡ」とが切り替え表示され、その表示の変更にともなって超音波画像の輝度調整と光音響画像の輝度調整とが切り替えられる。すなわち、表示部１８の輝度調整切替ボタンが「Ｂ」の表示である場合には、輝度調整指示受付部１６は、超音波画像の輝度調整の指示を受け付け、表示部１８の輝度調整切替ボタンが「ＰＡ」の表示である場合には、輝度調整指示受付部１６は、光音響画像の輝度調整の指示を受け付ける。
【００５６】
なお、本実施形態においては、「Ｂ」と「ＰＡ」の表示を行うようにしたが、これに限らず、たとえば「光音響画像」と「超音波画像」の文字、または光音響画像および超音波画像のサムネイルなどその他の表示方法を採用してもよい。
【００５７】
電源スイッチ１９は、光音響画像生成装置１０の電源をＯＮおよびＯＦＦするためのスイッチであり、ゲイン調整つまみ３１は、上述したゲイン調整部２６ａ，２７ａによる輝度調整の指示入力を受け付けるものである。すなわち、ゲイン調整つまみ３１を操作することによって、超音波画像全体または光音響画像全体の輝度が調整される。
【００５８】
表示部１８は、たとえばタッチパネルから構成されるものであり、操作パネル１５ａにおいて受け付けられた各種指示の設定状態を表示するとともに、タッチパネル上に、上述した輝度調整切替ボタンのような種々の操作ボタンを配置して表示可能なものである。特に、本実施形態の表示部１８は、光音響画像の深さ毎の輝度の設定状態および超音波画像の深さ毎の輝度の設定状態を表示するものである。光音響画像および超音波画像の深さ毎の輝度の設定状態は、たとえば図４に示すように、それぞれ線グラフによって示される。図４に示す例では、超音波画像の深さ毎の輝度の設定状態を実線の線グラフによって示しており、光音響画像の深さ毎の輝度の設定状態を破線の線グラフによって示している。図４に示す線グラフの横軸が、各スライダー１６ａ〜１６ｆの各つまみＳａ〜Ｓｆの移動方向に対応しており、線グラフの各点は、各つまみＳａ〜Ｓｆの位置の輝度に対応する位置にプロットされている。また、図４に示す線グラフの縦軸は、深さ方向を示しており、線グラフの各点は、深さ毎の各つまみＳａ〜Ｓｆに対応してプロットされている。
【００５９】
そして、たとえば現在、輝度調整切替部１７によって超音波画像の輝度調整が設定されている場合には、各スライダー１６ａ〜１６ｆの各Ｓａ〜Ｓｆの移動量に応じて、実線の線グラフの各点が横軸方向に移動して表示される。また、現在、輝度調整切替部１７によって光音響画像の輝度調整が設定されている場合には、各スライダー１６ａ〜１６ｆの各Ｓａ〜Ｓｆの移動量に応じて、破線の線グラフの各点が横軸方向に移動して表示される。なお、本実施形態においては、光音響画像および超音波画像の輝度の設定状態を線グラフによって示すようにしたが、このような表示方法に限らず、たとえば棒グラフまたは数値によるテキスト表示などその他の表示方法を採用するようにしてもよい。
【００６０】
ここで、本実施形態においては、光音響画像の輝度調整と超音波画像の輝度調整を１系統の輝度調整指示受付部１６を用いて、すなわち上述した６つのスライダー１６ａ〜１６ｆを用いて行うようにしているが、このような構成の場合、たとえば超音波画像の輝度調整をした後に、光音響画像の輝度調整に切り替えた場合、超音波画像の輝度調整を行った際に設定された各スライダー１６ａ〜１６ｆの状態がそのまま光音響画像の輝度に反映されてしまい、その分、輝度調整の手間が余計にかかる問題がある。
【００６１】
そこで、本実施形態においては、上述したような問題が生じないように輝度調整を行う。以下、本実施形態の輝度調整の方法について、図５に示すフローチャートおよび図６を参照しながら説明する。
【００６２】
まず、表示デバイス１４に超音波画像および光音響画像が表示された状態において、超音波画像または光音響画像の深さ毎の輝度調整が、各スライダー１６ａ〜１６ｆを用いて行われる（Ｓ１０）。
【００６３】
たとえば超音波画像の輝度調整が行われ、各スライダー１６ａ〜１６ｆの各つまみＳａ〜Ｓｆが、図６に示すような状態であったとする（Ｓ１２）。このとき、各スライダー１６ａ〜１６ｆの各つまみＳａ〜Ｓｆの位置に応じて、表示部１８には、図６に示すような実線の線グラフが表示される。なお、図６に示す破線の線グラフは、現在、表示デバイス１４に表示されている光音響画像の各深さの輝度を示すものである。
【００６４】
次いで、輝度調整切替部１７によって光音響画像の輝度調整への切り替え指示が受け付けられた場合（Ｓ１４，ＹＥＳ）、その切り替え指示が受け付けられた時点においては、第１の輝度調整部２６は、各スライダー１６ａ〜１６ｆの各つまみＳａ〜Ｓｆの現在の位置に関わらず、現在の光音響画像の各深さの輝度を維持する（Ｓ１６）。すなわち、現在、表示デバイス１４に表示されている光音響画像の輝度は変化しない。
【００６５】
そして、第１の輝度調整部２６は、超音波画像の輝度調整から光音響画像の輝度調整への切り替え指示が受け付けられた後、スライダー１６ａ〜１６ｆのつまみＳａ〜Ｓｆのいずれかがユーザによって動かされた場合に（Ｓ１８，ＹＥＳ）、光音響画像の輝度調整を開始する。具体的には、たとえば図７に示すように、スライダー１６ｅのつまみＳｅが左方向に動かされた時点において（たとえば動かされた直後）に、光音響画像におけるスライダー１６ｅに対応する深さの輝度が、つまみＳｅの位置に対応する輝度に変更される（Ｓ２０）。表示部１８に表示される破線の線グラフも、図７に示すように更新される。そして、その後、スライダー１６ｅのつまみＳｅの移動に応じて、光音響画像におけるスライダー１６ｅに対応する深さの輝度が順次変更され（Ｓ２２，ＮＯ）、ユーザがつまみＳｅを停止させた時点で輝度調整が終了する（Ｓ２２，ＹＥＳ）。なお、ここでは、スライダー１６ｅに対応する深さの輝度調整について説明したが、その他の深さについても、上記と同様にして輝度調整が行われる。
【００６６】
また、上記説明では、超音波画像の輝度調整から光音響画像の輝度調整へ切り替えられた場合について説明したが、光音響画像の輝度調整から超音波画像の輝度調整へ切り替えられた場合についても、基本的には、同様である。
【００６７】
具体的には、光音響画像の輝度調整が行われた後（Ｓ２４）、輝度調整切替部１７によって超音波画像の輝度調整への切り替え指示が受け付けられた場合（Ｓ２６，ＹＥＳ）、その切り替え指示が受け付けられた時点においては、第２の輝度調整部２７は、各スライダー１６ａ〜１６ｆの各つまみＳａ〜Ｓｆの現在の位置に関わらず、現在の超音波画像の各深さの輝度を維持する（Ｓ２８）。すなわち、現在、表示デバイス１４に表示されている超音波画像の輝度は変化しない。
【００６８】
そして、第２の輝度調整部２７は、光音響画像の輝度調整から超音波画像の輝度調整への切り替え指示が受け付けられた後、スライダー１６ａ〜１６ｆのつまみＳａ〜Ｓｆのいずれかがユーザによって動かされた場合に（Ｓ３０，ＹＥＳ）、超音波画像の輝度調整を開始する。具体的には、たとえばスライダー１６ｅのつまみＳｅが動かされた時点において（たとえば動かされた直後）に、超音波画像におけるスライダー１６ｅに対応する深さの輝度が、つまみＳｅの位置に対応する輝度に変更される（Ｓ３２）。この際、表示部１８に表示される実線の線グラフも更新される。そして、その後、スライダー１６ｅのつまみＳｅの移動に応じて、超音波画像におけるスライダー１６ｅに対応する深さの輝度が順次変更され（Ｓ３４，ＮＯ）、ユーザがつまみＳｅを停止させた時点で輝度調整が終了する（Ｓ３４，ＹＥＳ）。なお、ここでは、スライダー１６ｅに対応する深さの輝度調整について説明したが、その他の深さについても、上記と同様にして輝度調整が行われる。
【００６９】
上記実施形態の光音響画像生成装置１０によれば、光音響画像の輝度調整と超音波画像の輝度調整を、１系統のスライダー１６ａ〜１６ｆの指示に基づいて行うようにしたので、ユーザがより使い易い構成とすることができる。
【００７０】
また、超音波画像の輝度調整から光音響画像の輝度調整へ切り替えられた時点において、現在の超音波画像の輝度調整の指示に関わらず、現在の光音響画像の輝度を維持し、光音響画像の輝度調整から超音波画像の輝度調整へ切り替えられた時点において、現在の光音響画像の輝度調整の指示に関わらず、現在の超音波画像の輝度を維持するようにしたので、ユーザによる輝度調整の手間を削減することができ、操作性を向上させることができる。
【００７１】
また、上記実施形態においては、光音響画像の輝度調整から超音波画像の輝度調整への切り替え指示が受け付けられた後、または超音波画像の輝度調整から光音響画像の輝度調整への切り替え指示が受け付けられた後において、スライダー１６ａ〜１６ｆのつまみＳａ〜Ｓｆのいずれかがユーザによって動かされた直後から、超音波画像または光音響画像の輝度調整を開始するようにしたが、超音波画像または光音響画像の輝度調整を開始するタイミングとしては、これに限られない。
【００７２】
たとえば超音波画像の輝度調整から光音響画像の輝度調整への切り替え指示が受け付けられた後、図８に示すようにスライダー１６ｅのつまみＳｅが、現在の光音響画像の輝度に応じた位置まで動かされた時点から、光音響画像の輝度調整を開始するようにしてもよい。すなわち、上記時点から、図９に示すようにスライダー１６ｅのつまみＳｅの移動に応じて、光音響画像におけるスライダー１６ｅに対応する深さの輝度を変更するようにしてもよい。このように輝度を変更することによって、輝度が大きく急に変化することを防止することができ、違和感なく輝度調整を行うことができる。
【００７３】
なお、図９に示すように、スライダー１６ｅのつまみＳｅによって輝度調整の指示が受け付けられている深さの輝度の設定状態の表示を、円Ｃで囲むなどして強調表示するようにしてもよい。このように強調表示を行うことによって、現在どの深さの輝度を調整しているのかユーザが即座に把握することができる。
【００７４】
強調表示の方法としては、これに限らず、線グラフの点を点滅表示するようにしてもよいし、その他の点とは異なる色で表示するようにしてもよい。また、強調表示の期間については、たとえばつまみＳｅが動かされている間のみ強調表示するようにしてもよいし、つまみＳｅが動かされている間とその前後の予め設定された期間だけ強調表示するようにしてもよい。
【００７５】
また、光音響画像の輝度調整から超音波画像の輝度調整への切り替え指示が受け付けられた場合も同様に、その切り替え指示が受け付けられた後、たとえばスライダー１６ｅのつまみＳｅが動かされた場合には、つまみＳｅが現在の超音波画像の輝度に応じた位置まで動かされた時点から、超音波画像の輝度調整を開始するようにしてもよい。すなわち、上記時点から、スライダー１６ｅのつまみＳｅの移動に応じて、超音波画像におけるスライダー１６ｅに対応する深さの輝度を変更するようにしてもよい。
【００７６】
また、たとえば超音波画像の輝度調整から光音響画像の輝度調整への切り替え指示が受け付けられた後、スライダー１６ｅのつまみＳｅが、現在の光音響画像の輝度から予め設定された範囲内の輝度に応じた位置（たとえば現在の光音響画像の輝度に応じた位置の近傍位置）まで動かされた時点から、光音響画像の輝度調整を開始するようにしてもよい。すなわち、上記時点から、スライダー１６ｅのつまみＳｅの移動に応じて、光音響画像におけるスライダー１６ｅに対応する深さの輝度を変更するようにしてもよい。
【００７７】
また、光音響画像の輝度調整から超音波画像の輝度調整への切り替え指示が受け付けられた後も同様に、たとえばスライダー１６ｅのつまみＳｅが、現在の超音波画像の輝度から予め設定された範囲内の輝度に応じた位置（たとえば現在の超音波画像の輝度に応じた位置の近傍位置）まで動かされた時点から、光音響画像の輝度調整を開始するようにしてもよい。
【００７８】
また、上記実施形態においては、スライダー１６ａ〜１６ｆによって深さ毎の輝度調整を行うようにしたが、これに限らず、光音響画像および超音波画像の深さ毎の輝度調整の指示を受け付けるものとして、６つの回転ダイヤル１６ｇ，１６ｈ，１６ｉ，１６ｊ，１６ｋ，１６ｌを設けるようにしてもよい。各回転ダイヤル１６ｇ〜１６ｌは、光音響画像および超音波画像の各深さに対応してそれぞれ設けられている。そして、各回転ダイヤル１６ｇ〜１６ｌを回転させることによって、各深さの輝度調整の指示が受け付けられる。具体的には、たとえば各回転ダイヤル１６ｇ〜１６ｌを左方向に回転させた場合には各深さの輝度が連続的に小さくなり、右方向に回転させた場合には各深さの輝度が連続的に大きくなる。なお、逆に、左方向に回転させた場合に各深さの輝度を連続的に大きくし、右方向に回転させた場合に各深さの輝度を連続的に小さくするようにしてもよい。
【００７９】
以上、本発明をその好適な実施形態に基づいて説明したが、本発明の光音響画像生成装置は、上記実施形態にのみ限定されるものではなく、上記実施形態の構成から種々の修正及び変更を施したものも、本発明の範囲に含まれる。
【符号の説明】
【００８０】
１０   光音響画像生成装置
１１   超音波探触子
１２   超音波ユニット
１３   レーザユニット
１４   表示デバイス
１５   入力部
１５ａ 操作パネル
１６   輝度調整指示受付部
１６ａ-１６ｆ  スライダー
１６ｇ-１６ｌ  回転ダイヤル
１７   輝度調整切替部
１８   表示部
１９   電源スイッチ
２０   振動子アレイ
２１   受信回路
２２   ＡＤ変換部
２３   受信メモリ
２４   光音響画像生成部
２５   超音波画像生成部
２６   第１の輝度調整部
２６ａ  ゲイン調整部
２６ｂ  深さ毎輝度調整部
２６ｃ  コントラスト調整部
２７   第２の輝度調整部
２７ａ  ゲイン調整部
２７ｂ  深さ毎輝度調整部
２７ｃ  コントラスト調整部
２８   表示制御部
２９   送信制御回路
３０   制御部
４０   ケーブル
４１   バンドルファイバ
４２   光出射部
Ｃ     円
Ｌ     測定光
Ｍ     被検体
Ｕ     光音響波
【図１】
2018102630.tif 000003
【図２】
2018102630.tif 000004
【図３】
2018102630.tif 000005
【図４】
2018102630.tif 000006
【図５】
2018102630.tif 000007
【図６】
2018102630.tif 000008
【図７】
2018102630.tif 000009
【図８】
2018102630.tif 000010
【図９】
2018102630.tif 000011
【図１０】
2018102630.tif 000012